(57)【要約】【課題】製氷板の裏面を洗浄し易くする。【解決手段】 蒸発管３４は、一対の製氷板３２,３２の裏面間に横方向に延在する直線部３４ａおよび両製氷板３２,３２から側方へ突出する曲部３４ｂからなり、反復的に蛇行して配置される。曲部３４ｂは、両製氷板３２,３２の対向方向である後方側へ該製氷板３２,３２の離間間隔Ｄよりも大きく屈曲させることで、両製氷板３２,３２の間に画成され、製氷部３０の内部に臨む側部開口３８から曲部３４ｂを退避させ、製氷板３２の裏面の洗浄に際し、曲部３４ｂが邪魔にならないよう設定される。【選択図】図１
2006064318.tif 000002
【特許請求の範囲】
【請求項１】
一対の製氷板(32,32)と、両製氷板(32,32)の裏面間に配設され、横方向に延在する直線部(34a)および両製氷板(32,32)から側方へ突出する曲部(34b)を反復的に蛇行形成した蒸発管(34)とを備え、製氷運転時に蒸発管(34)に冷媒を循環供給することで冷却した各製氷板(32)の表面に製氷水を流下供給して氷塊を生成すると共に、除氷運転時に各製氷板(32)の裏面に除氷水を流下供給して氷塊を脱離させるようにした流下式製氷機の製氷部において、
前記曲部(34b)を、両製氷板(32,32)の前方側または後方側へ、両製氷板(32,32)の離間間隔(D)よりも大きく屈曲させることで、両製氷板(32,32)の間に画成される側部開口(38)から前記曲部(34b)を退避状態で位置させるよう構成した
ことを特徴とする流下式製氷機の製氷部。
【請求項２】
前記一対の製氷板(32,32)は、その側部における上端および下端のみを固定部(36,36)を介して互いに連結するようにした請求項１記載の流下式製氷機の製氷部。
【発明の詳細な説明】
【技術分野】
【０００１】
この発明は、冷凍系を構成する蒸発管を挟んで一対の製氷板を対向配置した流下式製氷機の製氷部に関するものである。
【背景技術】
【０００２】
氷塊を連続的に製造する製氷機として、冷凍系を構成する蒸発管を挟んで一対の製氷板を垂直に対向配置し、この蒸発管に循環供給される冷媒により冷却される前記各製氷板の表面(製氷面)に製氷水を散布供給して氷塊を形成し、得られた氷塊を除氷水により剥離して落下放出させる流下式製氷機が知られている(例えば、特許文献１参照)。
【０００３】
図６(ａ)に示すように、一対の製氷板１２,１２および蒸発管１４から構成される製氷部１０は、これら一対の製氷板１２,１２を蒸発管１４に錫等のろう材により直接接合したり、あるいは蒸発管１４を挟んで対向する一対の製氷板１２,１２同士を別部材を介して溶接することで、蒸発管１４の管径分だけ隙間Ｓを空けた状態で組立てられている。両製氷板１２,１２の裏面に蛇行配置した蒸発管１４は、その直線部が横方向(水平方向)に延在すると共に、折り返し部分である曲部１４ａは両製氷板１２,１２の側部から側方へ突出するよう形成されている。また、両製氷板１２,１２の側部には、製氷部１０を製氷機本体に設置するための支持部材２０の設置基部となる複数の固定部１６が両製氷板１２,１２に連結して設けられ、これらの固定部１６により蒸発管１４の挿通スペースを除く隙間Ｓに連通する製氷板１２,１２間の側部開口がおおよそ覆われている。前記支持部材２０は、製氷機本体に当接するフランジ部２２と、両製氷板１２,１２の間から側方に突出した蒸発管１４の曲部１４ａおよび導出入部１４ｂを回避するよう開設された切欠部２０ａとを備えている(図６(ａ)参照)。そして、前記支持部材２０は、前記切欠部２０ａに両製氷板１２,１２の間から突出した蒸発管１４を受容すると共に、この支持部材２０の適宜位置に穿設された通孔２０ｂを、固定部１６に開設されたねじ孔１６ａに整合して、両孔２０ｂ,１６ａにねじ２４を挿通して螺合することで固定するようになっている(図６(ｂ)参照)。
【０００４】
除氷運転に際し、一対の製氷板１２,１２の間には、その上方に配設した除氷水供給手段(図示せず)から除氷水が供給されて氷塊と製氷板１２との氷結面の融解を促進することが行なわれるため、長期間使用すると水垢や、除氷水に含まれるカルシウム等の不純物によって汚れるから、定期的に洗浄することが望まれる。前記一対の製氷板１２,１２は、基本的に分解不可能であるため、前記隙間Ｓに洗浄具等を差込んで各製氷板１２の裏面に付着した汚れを除去する洗浄作業が実施されている。
【特許文献１】実開昭６２−１７６６６９号公報
【発明の開示】
【発明が解決しようとする課題】
【０００５】
ところで、前記製氷板１２,１２の対向面の洗浄作業は、上方または下方から隙間Ｓに洗浄具を挿入しても、前記蒸発管１４の直線部に阻まれて、製氷板１２,１２の上部または下部の一部だけしか洗浄できない。そこで、各製氷板１２における中央部分については、側方から洗浄具を挿入して洗浄する必要があるものの、側方に突出した曲部１４ａが邪魔になってうまく洗浄作業を実施できない難点が指摘される。しかも、前記両製氷板１２,１２の間は、前記固定部１６および支持部材２０によって前記隙間Ｓに連通した側部開口がおおよそ覆われてしまうため、洗浄具を挿入する部位が限定されると共に、挿入したとしても洗浄作業の自由度が低く、全体を清掃することができない欠点がある。
【０００６】
すなわちこの発明は、従来の技術に係る流下式製氷機の製氷部に内在する前記問題に鑑み、これらを好適に解決するべく提案されたものであって、両製氷板の間に対し側方からの洗浄具の挿入を許容すると共に、各製氷板裏面の洗浄作業を好適に実施し得る流下式製氷機の製氷部を提供することを目的とする。
【課題を解決するための手段】
【０００７】
前記課題を克服し、所期の目的を達成するため、本発明に係る流下式製氷機の製氷部は、
一対の製氷板と、両製氷板の裏面間に配設され、横方向に延在する直線部および両製氷板から側方へ突出する曲部を反復的に蛇行形成した蒸発管とを備え、製氷運転時に蒸発管に冷媒を循環供給することで冷却した各製氷板の表面に製氷水を流下供給して氷塊を生成すると共に、除氷運転時に各製氷板の裏面に除氷水を流下供給して氷塊を脱離させるようにした流下式製氷機の製氷部において、
前記曲部を、両製氷板の前方側または後方側へ、両製氷板の離間間隔よりも大きく屈曲させることで、両製氷板の間に画成される側部開口から前記曲部を退避状態で位置させるよう構成したことを特徴とする。
【発明の効果】
【０００８】
本発明に係る流下式製氷機の製氷部によれば、蒸発管の曲部を、両製氷板の前方側または後方側へ両製氷板の離間間隔よりも大きく屈曲することで、両製氷板の間に画成されて側方に開放する側部開口から曲部を退避状態で位置するよう構成したから、側方からの洗浄具の挿入を許容すると共に、洗浄作業において洗浄具の移動に対し曲部が邪魔にならず、洗浄性を向上させることができる。また、一対の製氷板を、その側部における上端および下端のみを固定部を介して互いに連結するよう構成することで、製氷部の側面に開放する側部開口が比較的大きくなるから、洗浄性をより向上させることができる。
【発明を実施するための最良の形態】
【０００９】
次に、本発明に係る流下式製氷機の製氷部につき、好適な実施例を挙げて、添付図面を参照して以下に説明する。なお、説明の便宜上、図６に示した流下式製氷機の製氷部の構成要素と同一の要素については、同一の符号を使用して詳細な説明は省略する。ここで、製氷部(両製氷板)の前方側とは、図１または図３のＡ矢視に臨む側を指す。
【実施例】
【００１０】
図１〜図４に示すように、実施例に係る流下式製氷機の製氷部３０は、略垂直に配置した一対の製氷板３２,３２と、両製氷板３２,３２の対向面間(裏面間)に挟持されて、その直線部３４ａが横方向(水平方向)に延在するように反復的に蛇行形成した冷凍系を構成する蒸発管３４とから構成され、製氷運転時に該蒸発管３４に冷媒を循環させて両製氷板３２,３２を強制冷却するよう構成され、各側面に夫々配設された支持部材４０,４０を介して製氷機本体に支持固定されている。前記製氷部３０は、各製氷板３２を蒸発管３４と夫々はんだ接合することで構成され、両製氷板３２,３２は蒸発管３４の管径分だけ離間して、これらの対向面の間に隙間Ｓが画成されている。なお、前記製氷部３０の上部には、製氷運転に際して各製氷板３２の表面(製氷面)に製氷水を供給する製氷水供給手段および除氷運転に際して両製氷板３２,３２の対向面間に除氷水を供給する除氷水供給手段(何れも図示せず)が配設される。また除氷運転に際しては、冷凍系の弁切換えにより蒸発管３４にホットガス(高温冷媒)が供給されるようになっている。前記製氷板３２,３２は、相対的に熱伝導率が低い例えばステンレス板で構成され、前記蒸発管３４は、相対的に熱伝導率が高い例えば銅管で構成されるが、その他の材質であってもよい。
【００１１】
前記製氷部３０を構成する各製氷板３２は、ステンレス等の薄板を波状に折曲形成したものであって、外方に突出して上下方向に延在する複数の突出部３２ａが前記蒸発管３４における直線部３４ａの延在方向に沿って並列に配置されている。そして、一対の突出部３２ａ,３２ａで囲われる内側部分が製氷領域とされて、該製氷領域に前記製氷水供給手段を介して製氷水が供給されて流下するようになっている。
【００１２】
対向した製氷板３２,３２には、その各側部における上端および下端に、これらの製氷板３２,３２間を連結する固定部３６,３６が設置されている。各固定部３６は、前記支持部材４０の取付基部となる部分であって、その略中央部にねじ孔３６ａが穿設されている(図１参照)。すなわち、前記製氷部３０の側面には、対向した製氷板３２,３２およびこれらの上下端に設けられた固定部３６,３６により、前記隙間(製氷部３０の内部)Ｓに連通する比較的大きな側部開口３８が画成される。前記一対の製氷板３２,３２は、前記固定部３６,３６を介して対向する側部が互いに連結されるので、これらの固定部３６,３６の大きさまたは設置数を多く設定すると、前記隙間Ｓに連通する側部開口３８が小さくなるから、この側部開口３８を介して実施する洗浄作業の作業性等を考慮してこれらは設定される。
【００１３】
前記蒸発管３４は、前述したように、その直線部３４ａが一対の製氷板３２,３２における横方向に延在すると共に、Ｕ字状の折り返し部分である曲部３４ｂが一対の製氷板３２,３２の間(側部開口３８)から側方へ突出した状態で配置されている(図３参照)。また前記蒸発管３４は、冷凍系に連通した冷媒配管(図示せず)に接続し、この冷凍系から気化冷媒を受入れる導入部３４ｃも前記側部開口３８から側方に突出すると共に、蒸発管３４を流通した気化冷媒を冷凍系へ冷媒配管を介して受渡す導出部３４ｄも側部開口３８から突出している。すなわち、前記製氷部３０の両側面には、前記蒸発管３４の曲部３４ｂが側方へ突出すると共に、導入部３４ｃおよび導出部３４ｄも夫々対称な側面から突出するよう構成される。
【００１４】
また、前記蒸発管３４の曲部３４ｂは、前記側部開口３８から突き出た根元部分から製氷板３２,３２の対向方向である前方側または後方側(実施例では後方側)へ向けて屈曲形成されている(図１参照)。ここで、前記曲部１４の先端部(曲り部分の頂点)は、屈曲始点である根元部分から前記一対の製氷板３２,３２の離間距離Ｄより大きく偏倚するよう設定される(図１参照)。すなわち、前記曲部３４ｂは側部開口３８から退避する方向へ屈曲され、側方から製氷部３０の側面を臨んだ際に、この曲部３４ｂに邪魔されることなく側部開口３８が露出するようになっている。なお、前記蒸発管３４の導入部３４ｃおよび導出部３４ｄも、前記曲部３４ｂの屈曲方向と同一方向へ屈曲されている。
【００１５】
前記支持部材４０は、略矩形板状の本体部４２の一側面を直角に折曲したフランジ部４４と、この本体部４２に開設された窓部４６とを備えている。前記窓部４６は、前記曲部３４ｂおよび導入部３４ｃまたは導出部３４ｄの挿通を許容し得る大きさに設定され、前記製氷部３０の側面に支持部材４０を設置した際に、対向した製氷板３２,３２間の側部開口３８を側方から窓部４６を介して臨めるようになっている(図２参照)。また前記窓部４６の各側縁部には、前記フランジ部４４の折曲方向と同一方向に延出する側板部４８,４８が夫々形成され、前記製氷部３０の側面に支持部材４０を設置した際に、前記側部開口３８の側縁に亘って側板部４８,４８が位置して、除氷運転に際し、該窓部４６を介して除氷水が飛散することを防止している。そして、前記支持部材４０は、前記窓部４６の上部および下部に穿設された通孔４２ａ,４２ａを前記固定部３６のねじ孔３６ａに整合させると共に、外方から通孔４２ａに挿通したねじ２４をねじ孔３６ａに螺合することで製氷部３０の側面に固定される(図４参照)。
【００１６】
〔実施例の作用〕
次に、実施例に係る流下式製氷機の製氷部の作用について説明する。一対の支持部材４０,４０により側面を支持され、製氷機本体に固定された製氷部３０は、その側面に前記一対の製氷板３２,３２により画成された側部開口３８と、該支持部材４０に開放した窓部４６とが整合しているから、製氷部３０に支持部材４０を取付けた状態で、側方から窓部４６および側部開口３８を介して両製氷板３２,３２間の隙間Ｓを臨むことができる。すなわち、前記製氷部３０の洗浄作業に際し、前記支持部材４０から取外すことなく、この製氷部３０の側方からブラシ等の洗浄具５０の挿入を許容し得る。また、前記支持部材４０の設置基部となる固定部３６を製氷板３２,３２の側部における上端および下端のみに設けることで、側部開口３８を比較的広く設定してあるから、挿入した洗浄具５０の移動の自由度が高く、製氷板３２,３２の対向面全体に亘って洗浄し得る(図４参照)。
【００１７】
また、前記製氷部３０の各側面から突出した曲部３４ｂは、製氷板３２,３２の対向方向の何れか一方に屈曲され、側部開口３８から退避状態で位置しているから、この曲部１４ａで接続される上下の直線部３４ａ,３４ａの間に、前記側部開口３８を介して洗浄具５０を挿入する場合、該曲部３４ｂにより洗浄具５０の挿入を邪魔されることがなく、洗浄具５０による製氷板３２の対向面の洗浄作業に際し、該曲部３４ｂにより洗浄具５０の移動が妨げられず、対向面の全体に亘って洗浄作業を好適に実施し得る。しかも、洗浄作業は、製氷部３０における一方の側面から洗浄具５０を側部開口３８を介して挿入することで、製氷板３２,３２の横方向の略全長に亘って洗浄具５０が到達するから、該製氷部３０の一側面からだけ洗浄作業を実施すればよく、作業性を向上し得る。更に、前記蒸発管３４の導入部３４ｃおよび導出部３４ｄも両製氷板３２,３２の前方側または後方側へ屈曲してあるので、洗浄性を向上させることができる。このように、前記製氷部３０の内部の洗浄性を向上させることで、該製氷部３０の衛生状態を好適に維持することができる。
【００１８】
実施例の製氷部３０は、従来品と比較して、蒸発管３４の曲部３４ｂを屈曲すると共に、固定部３６の構成を変更しただけなので、製氷部３０の組立に際し、従来の組立工程を変更する必要がなく、組立コストを増加させずに前述した好適な洗浄性を獲得することができる。
【００１９】
(変更例)
図５は、変更例に係る製氷部３１の一部を示す概略斜視図であって、基本的な部分は実施例と同様であるから、同一の部材には同一符号を付し、異なる部分のみ説明する。変更例の製氷部３１では、各製氷板３２の両側縁部から夫々側方へ向けてフランジ部３２ｂが延出形成されている(図５(ａ)および(ｂ)では片面のみ表示)。前記各フランジ部３２ｂは、支持部材４０の窓部４６に挿通し得るように形成されると共に、支持部材４０を製氷部３１に取付けた際に、各フランジ部３２ｂが窓部４６の各側縁部に延在する各側板部４８と対応的に重なり合うようになっている。また、前記各フランジ部３２ｂに、複数のねじ孔３２ｃが上下方向に所定間隔で穿設されると共に、各ねじ孔３２ｃと対応する通孔４８ａが前記側板部４８に穿設されている。そして、前記支持部材４０の製氷部３１への取付けに際し、前記側板部４８の各通孔４８ａを、前記フランジ部３２ｂの対応するねじ孔３２ｃに夫々整合させると共に、両製氷板３２,３２の対向方向から通孔４８ａに挿通したねじ２４をねじ孔３２ｃに螺合することで、支持部材４０と製氷部３１とが固定される(図５(ｂ)参照)。なお、変更例であっても実施例と同様に、前記支持部材４０の製氷部３１への取付けに際し、両製氷板３２,３２を連結する上下端の固定部３６,３６の各ねじ孔３６ａに対し、支持部材４０の通孔４２ａを介してねじ２４を螺合することで連結されている。このように変更例では、各製氷板３２の側縁部にフランジ部３２ｂを形成し、この各フランジ部３２ｂを介して支持部材４０の各側板部４８と連結固定することで、実施例の如く支持部材４０と製氷部３０とを固定部３６だけで固定する場合と比較して、両者３１,４０の連結強度を向上させることができる。
【００２０】
実施例または変更例では、製氷部３０の両側面から夫々突出した曲部３４ｂの両方について、側部開口３８から退避するよう屈曲形成したが、何れか一面から突出した曲部３４ｂのみを屈曲してもよい。
【図面の簡単な説明】
【００２１】
【図１】本発明の好適な実施例に係る流下式製氷機の製氷部を示す側面図である。
【図２】実施例の流下式製氷機の製氷部に支持部材を取付けた状態を示す側面図である。
【図３】実施例の流下式製氷機の製氷部を一部切欠いて示す概略斜視図である。
【図４】実施例の流下式製氷機の製氷部に支持部材を取付けた状態を示す概略斜視図である。
【図５】変更例の流下式製氷機の製氷部を示す概略斜視図であって、(ａ)は支持部材の取付け前を示し、(ｂ)は支持部材を取付けた状態を示す。
【図６】従来の流下式製氷機の製氷部を示す概略斜視図であって、(ａ)は支持部材の取付け前を示し、(ｂ)は支持部材を取付けた状態を示す。
【符号の説明】
【００２２】
３２ 製氷板，３４ 蒸発管，３４ａ 直線部，３４ｂ 曲部，３６ 固定部，
３８ 側部開口，Ｄ 離間間隔
【図１】
2006064318.tif 000003
【図２】
2006064318.tif 000004
【図３】
2006064318.tif 000005
【図４】
2006064318.tif 000006
【図５】
2006064318.tif 000007
【図６】
2006064318.tif 000008